(57)【要約】  患者の良好さを遠隔からモニタするための良好さのメトリックとしての話声パターンのシステムを提供するためのシステム、デバイス、方法が開示される。例示的な一実施形態においては、あるシステムが、少なくとも１つのウェアラブルデバイスを含むことができ、このウェアラブルデバイスは、このデバイスを着用している患者に関連付けられているボディーセンサデータ及び話声パターンデータを収集し、それらのデータを分析して、患者の情緒的良好さが損なわれているかどうかを判定するように構成されている。いくつかの例示的な実施形態においては、このウェアラブルデバイスは、患者の情緒的良好さが損なわれていることを示すアラートを少なくとも１つの介護者デバイスへ送信するように構成されることが可能である。このウェアラブルデバイスは、状況を緩和するためのアクションの方針に関する推奨を送信するように構成されることも可能である。
2018515155.tif 000002
【特許請求の範囲】
【請求項１】
話声センサとボディーセンサとを有するウェアラブルデバイスを用いてユーザの情緒的良好さを遠隔からモニタする方法であって、
前記話声センサからの話声パターンデータをモニタするステップと、
前記ボディーセンサからのボディーセンサデータをモニタするステップと、
前記話声パターンデータ及び前記ボディーセンサデータを、複数の情緒的良好さアラートを有するアラートデータベースに対して比較するステップと、
前記話声パターンデータ及び前記ボディーセンサデータが前記情緒的良好さアラートのうちの少なくとも１つをトリガーした場合に介護者へアラートメッセージを送信するステップとを含む方法。
【請求項２】
前記話声パターンデータをモニタするステップが、前記ユーザが話していない時間のパーセントに基づいて不対話値を計算するステップを含み、前記情緒的良好さアラートは、前記不対話値が最小不対話値よりも小さくて、かつボディーセンサからの測定値が所定の値を下回っている場合にトリガーされるうつ状態アラートを含み、
前記アラートメッセージを送信するステップは、前記うつ状態アラートがトリガーされた場合にうつ状態アラートメッセージを送信するステップを含む、
請求項１に記載の方法。
【請求項３】
前記うつ状態アラートは、前記不対話値が前記最小不対話値よりも小さくて、かつウェアラブルデバイス血圧センサからの血圧測定値が最小血圧よりも小さい場合にトリガーされる、請求項２に記載の方法。
【請求項４】
前記うつ状態アラートは、前記不対話値が前記最小不対話値よりも小さくて、かつウェアラブルデバイス脈拍センサからの脈拍測定値が最小脈拍以下である場合にトリガーされる、請求項２に記載の方法。
【請求項５】
前記うつ状態アラートは、前記不対話値が前記最小不対話値よりも小さくて、かつウェアラブルデバイス脈拍センサからの心拍変動（ＨＲＶ）測定値が最小ＨＲＶ以下である場合にトリガーされる、請求項２に記載の方法。
【請求項６】
前記不対話値を計算するステップは、
前記話声センサによって入手された音響データを記録するステップと、
前記音響データを分析して周囲の音からユーザの話声を分離するステップと、
前記ユーザが話していない時間のパーセントを前記ユーザの話声の音響から計算するステップとを含む、請求項２に記載の方法。
【請求項７】
前記音響データを分析して周囲の音からユーザの話声を分離するステップは、テレビの音、ラジオの音、及び前記ユーザ以外の人々からの話声に関連付けられている音からユーザの話声を分離するステップを含む、請求項６に記載の方法。
【請求項８】
前記ボディーセンサは、前記ユーザが動いたときを感知するための動きセンサを含み、前記話声パターンデータをモニタするステップは、前記ユーザが目を覚ましていることを示す動きを前記動きセンサが感知しない限り、事前に定義された夜の時間中には話声パターンデータをモニタしないステップを含む、請求項２に記載の方法。
【請求項９】
前記不対話値が前記最小不対話値よりも小さく、他のボディーセンサのうちの別の１つからの前記測定値が前記所定の値を下回っており、前記ウェアラブルデバイスによって受け取られた気象値が、劣悪な天候を示している場合に、前記うつ状態アラートがトリガーされる、請求項２に記載の方法。
【請求項１０】
前記情緒的良好さアラートは、少なくとも１つのボディーセンサからの測定値が最大値よりも大きく、かつ、ある話声パターンが前記話声センサによって検知された場合にトリガーされるストレスアラートを含み、
前記アラートメッセージを送信するステップは、前記ストレスアラートがトリガーされた場合にストレスアラートメッセージを送信するステップを含む、
請求項１に記載の方法。
【請求項１１】
前記話声センサによって検知される前記話声パターンは、前記ユーザが話していることを示すユーザの話声と、別の人が話していることを示す周囲の話声とを検知するステップを含む、請求項１０に記載の方法。
【請求項１２】
検知される前記話声パターンは、ユーザの話声及び周囲の話声の両方が検知され、かつ、前記ユーザが会話に関わっていることを前記話声センサデータの分析が示している場合に会話話声パターンを検知するステップを含み、前記アラートメッセージを送信するステップが、ストレスをもたらしている会話に前記ユーザが携わっている旨のストレスアラートメッセージを送信するステップを含む、請求項１１に記載の方法。
【請求項１３】
検知される前記話声パターンは、ユーザの話声及び周囲の話声の両方が検知され、かつ、前記ユーザが口論に関わっていることを前記話声センサデータの分析が示している場合に口論話声パターンを検知するステップを含み、前記情緒的良好さアラートは、前記会話話声パターンが検知されて前記ボディーセンサからの前記測定値が第１の最大値を超えている場合にトリガーされる会話ストレスアラートを含み、前記情緒的良好さアラートは、前記口論話声パターンが検知されて前記ボディーセンサからの前記測定値が、前記第１の最大値よりも低い第２の最大値を超えている場合にトリガーされる口論ストレスアラートをさらに含む、請求項１２に記載の方法。
【請求項１４】
ウェアラブルデバイス血圧センサ及びウェアラブルデバイス脈拍センサのうちの１つからの測定値が、対応する最大値を超えていて、かつ、ある話声パターンが前記話声センサによって検知された場合に、前記ストレスアラートがトリガーされる、請求項１０に記載の方法。
【請求項１５】
前記少なくとも１つのボディーセンサからの前記測定値が、ウェアラブルデバイス脈拍センサからのユーザの心拍数、及びウェアラブルデバイス血圧センサからのユーザの血圧のうちの少なくとも１つであり、前記最大値が、最大心拍数及び最大血圧のうちの少なくとも１つである、請求項１０に記載の方法。
【請求項１６】
ユーザの情緒的良好さを遠隔からモニタするためのシステムであって、前記システムは、
話声パターンデータを感知する話声センサ、及び
ボディーセンサデータを感知する１つ又は複数のボディーセンサ
を有する少なくとも１つのウェアラブルデバイスと、
少なくとも１つのデータプロセッサを有しており、データを収集及びモニタする少なくとも１つのコンピューティングデバイスとを含み、
前記少なくとも１つのウェアラブルデバイスが、（ｉ）前記話声センサからの話声パターンデータを収集及びモニタすること、又は（ｉｉ）前記１つ若しくは複数のボディーセンサからのボディーセンサデータを収集及びモニタすることのうちの少なくとも１つを行い、
前記少なくとも１つのコンピューティングデバイスが、（ｉ）前記話声パターンデータ又は前記ボディーセンサデータのうちの少なくとも１つを、複数の情緒的良好さアラートを有する１つ又は複数のデータベースからのデータに対して比較すること、及び（ｉｉ）前記情緒的良好さアラートのうちの少なくとも１つをトリガーするかどうかを前記比較に基づいて判定することを行い、
前記少なくとも１つのウェアラブルデバイスはさらに、前記情緒的良好さアラートのうちの少なくとも１つがトリガーされた場合にアラートメッセージを格納すること、表示すること、示すこと、又は送信することのうちの少なくとも１つを行う、システム。
【請求項１７】
前記少なくとも１つのコンピューティングデバイスは、（ｉ）前記ユーザが話していない時間のパーセントに基づいて不対話値を計算することであって、前記情緒的良好さアラートのうちの少なくとも１つが、前記不対話値が最小不対話値よりも小さくて、かつ前記ボディーセンサのうちの１つ又は複数からの測定値が所定の値を下回っている場合にトリガーされるうつ状態アラートを含むこと、及び（ｉｉ）前記うつ状態アラートがトリガーされた場合にうつ状態アラートメッセージを送信することを行う、請求項１６に記載のシステム。
【請求項１８】
前記少なくとも１つのコンピューティングデバイスは、前記不対話値が前記最小不対話値よりも小さくて、かつ（ｉ）ウェアラブルデバイス血圧センサからの血圧測定値が最小血圧よりも小さい、（ｉｉ）ウェアラブルデバイス脈拍センサからの脈拍測定値が最小脈拍以下である、又は（ｉｉｉ）ウェアラブルデバイス脈拍センサからの心拍変動（ＨＲＶ）測定値が最小ＨＲＶ以下である、のうちの少なくとも１つである場合に前記うつ状態アラートをトリガーする、請求項１７に記載のシステム。
【請求項１９】
前記不対話値を計算することは、
前記話声センサによって入手された音響データを記録すること、
前記音響データを分析して周囲の音からユーザの話声を分離すること、及び
前記ユーザが話していない時間のパーセントを前記ユーザの話声の音響から計算することを含み、前記音響データを分析して周囲の音からユーザの話声を分離することが、テレビの音、ラジオの音、及び前記ユーザ以外の人々からの話声に関連付けられている音からユーザの話声を分離することを含む、請求項１７に記載のシステム。
【請求項２０】
前記１つ又は複数のボディーセンサのうちの少なくとも１つは、前記ユーザが動いたときを感知する動きセンサを含み、前記話声パターンデータをモニタすることは、前記ユーザが目を覚ましていることを示す動きを前記動きセンサが感知しない限り、事前に定義された夜の時間中には話声パターンデータをモニタしないことを含む、請求項１７に記載のシステム。
【請求項２１】
前記少なくとも１つのコンピューティングデバイスは、さらに、前記不対話値が前記最小不対話値よりも小さく、他のボディーセンサのうちの別の１つからの測定値が前記所定の値を下回っており、前記ウェアラブルデバイスによって受け取られた気象値が、劣悪な天候を示している場合に前記うつ状態アラートをトリガーする、請求項１７に記載のシステム。
【請求項２２】
ユーザの情緒的良好さを遠隔からモニタするためのウェアラブルデバイスであって、前記ウェアラブルデバイスは、
話声パターンデータを感知する話声センサと、
ボディーセンサデータを感知する１つ又は複数のボディーセンサと、
少なくとも１つのデータプロセッサを有しており、データを収集及びモニタする少なくとも１つのコンピューティングデバイスと、
データを送信すること又は受信することのうちの少なくとも１つを行う通信モジュールとを含み、
前記少なくとも１つのコンピューティングデバイスは、（ｉ）前記話声センサからの話声パターンデータを収集及びモニタすること、又は（ｉｉ）前記１つ若しくは複数のボディーセンサからのボディーセンサデータを収集及びモニタすることのうちの少なくとも１つを行い、
前記少なくとも１つのコンピューティングデバイスは、さらに、（ｉ）前記話声パターンデータ又は前記ボディーセンサデータのうちの少なくとも１つを、複数の情緒的良好さアラートを有する１つ又は複数のデータベースからのデータに対して比較すること、及び（ｉｉ）前記情緒的良好さアラートのうちの少なくとも１つをトリガーするかどうかを前記比較に基づいて判定することを行い、
前記通信モジュールは、前記情緒的良好さアラートのうちの少なくとも１つがトリガーされた場合にアラートメッセージを送信する、ウェアラブルデバイス。
【請求項２３】
前記少なくとも１つのコンピューティングデバイスは、（ｉ）前記ユーザが話していない時間のパーセントに基づいて不対話値を計算することであって、前記情緒的良好さアラートのうちの少なくとも１つは、前記不対話値が最小不対話値よりも小さくて、かつ前記ボディーセンサのうちの１つ又は複数からの測定値が所定の値を下回っている場合にトリガーされるうつ状態アラートを含むこと、及び（ｉｉ）前記うつ状態アラートがトリガーされた場合にうつ状態アラートメッセージを送信することを行う、請求項２２に記載のウェアラブルデバイス。
【請求項２４】
前記少なくとも１つのコンピューティングデバイスは、前記不対話値が前記最小不対話値よりも小さくて、かつ（ｉ）ウェアラブルデバイス血圧センサからの血圧測定値が最小血圧よりも小さい、（ｉｉ）ウェアラブルデバイス脈拍センサからの脈拍測定値が最小脈拍以下である、又は（ｉｉｉ）ウェアラブルデバイス脈拍センサからの心拍変動（ＨＲＶ）測定値が最小ＨＲＶ以下である、のうちの少なくとも１つである場合に前記うつ状態アラートをトリガーする、請求項２３に記載のウェアラブルデバイス。
【請求項２５】
前記不対話値を計算することは、
前記話声センサによって入手された音響データを記録すること、
前記音響データを分析して周囲の音からユーザの話声を分離すること、及び
前記ユーザが話していない時間のパーセントを前記ユーザの話声の音響から計算することを含み、前記音響データを分析して周囲の音からユーザの話声を分離することは、テレビの音、ラジオの音、及び前記ユーザ以外の人々からの話声に関連付けられている音からユーザの話声を分離することを含む、請求項２３に記載のウェアラブルデバイス。
【請求項２６】
前記１つ又は複数のボディーセンサのうちの少なくとも１つは、前記ユーザが動いたときを感知する動きセンサを含み、前記話声パターンデータをモニタすることは、前記ユーザが目を覚ましていることを示す動きを前記動きセンサが感知しない限り、事前に定義された夜の時間中には話声パターンデータをモニタしないことを含む、請求項２３に記載のウェアラブルデバイス。
【請求項２７】
前記少なくとも１つのコンピューティングデバイスは、さらに、前記不対話値が前記最小不対話値よりも小さく、他のボディーセンサのうちの別の１つからの測定値が前記所定の値を下回っており、前記ウェアラブルデバイスによって受け取られた気象値が、劣悪な天候を示している場合に前記うつ状態アラートをトリガーする、請求項２３に記載のウェアラブルデバイス。
【発明の詳細な説明】
【技術分野】
【０００１】
[0001]  本発明は、一般にはウェアラブルデバイスの分野に関する。詳細には、本発明は、良好さのメトリックとしての話声パターンを有するウェアラブルデバイス、及び関連したシステム及び方法を対象とする。
【背景技術】
【０００２】
[0002]  ウェアラブル電子デバイス、又は本明細書において使用されているウェアラブルテクノロジーは、ユーザによって着用されることが可能であるさまざまなさりげないセンサを通じてデータの取得を提供することができる新たなクラスの電子システムである。それらのセンサは、たとえば、環境、ユーザのアクティビティー、又はユーザの健康ステータスに関する情報を収集する。しかしながら、収集されたデータの調整、計算、通信、プライバシー、セキュリティー、及び提示に関連した重大な課題がある。加えて、バッテリーテクノロジーの現在の状態を前提とした電力管理に関連した課題がある。さらに、センサによって収集されたデータをエンドユーザにとって有用で関連性の高いものにするためには、データの分析が必要とされる。いくつかのケースにおいては、センサによって収集されたデータを補完するために、情報のさらなるソースが使用されることがある。ウェアラブルテクノロジーが提示している多くの課題は、ハードウェア及びソフトウェアにおける新たな設計を必要としている。
【発明の概要】
【発明が解決しようとする課題】
【０００３】
[0003]  介護者はしばしば、自分の患者の情緒的良好さの正確な査定を展開することができない。たとえば、介護者は、限られた時間にわたってそれぞれの患者を訪問することしかできないので、良好さを査定するための限られた量の情報しか有していない。また、患者は、うつ病及び不安症などの情緒的良好さの疾患に関連付けられている社会的不名誉を含むさまざまな理由のために、又は患者が自分の患っている疾患を十分に認識していないことから、故意に又は故意でなく、自分の介護者に情報を知らせないことがある。加えて、介護者が提供する介護の有効性は、情緒的良好さの減少をもたらした事態が発生したはるか後にその介護が施される場合には、低減される。
【課題を解決するための手段】
【０００４】
[0004]  本開示の態様は、ウェアラブルデバイスを用いて患者の情緒的良好さを遠隔からモニタするためのシステム、デバイス、及び方法を含む。いくつかの実施形態においては、このウェアラブルデバイスは、話声センサ及びボディーセンサを有することができ、この方法は、話声パターン及び他の音響データをボディーセンサからの１つ又は複数のさらなるセンサ測定値と相関付けて劣悪な情緒的良好さを検知するステップを含むことができる。ユーザの話声データを他のボディーセンサ測定値と相関付けることによって、ウェアラブルデバイスは、さまざまな異なる情緒的な疾患、たとえば、うつ状態、不安、及びストレスを正確かつ迅速に検知し、それによって、患者の情緒的良好さについてのさらに正確な査定を介護者に提供し、情緒的な疾患の速やかな手当てを可能にすることができる。そのようなデバイス及び方法は、患者の劣悪な情緒的健康の一因となる可能性がある外部刺激を識別する際に役立つこともでき、それによって介護者は、それらのマイナスの外部刺激を患者の環境から取り除くことができる。
【０００５】
[0005]  本発明の第１の態様は、話声センサとボディーセンサとを有するウェアラブルデバイスを用いてユーザの情緒的良好さを遠隔からモニタする方法を対象とする。この方法は、話声センサからの話声パターンデータをモニタするステップと、ボディーセンサからのボディーセンサデータをモニタするステップと、話声パターンデータ及びボディーセンサデータを、複数の情緒的良好さアラートを有するアラートデータベースに対して比較するステップと、話声パターンデータ及びボディーセンサデータが情緒的良好さアラートのうちの少なくとも１つをトリガーした場合に介護者へアラートメッセージを送信するステップとを含む。
【０００６】
[0006]  本発明の別の態様は、ユーザの情緒的良好さを遠隔からモニタするためのシステムを対象とし、このシステムは、話声パターンデータを感知するための話声センサ、及びボディーセンサデータを感知するための１つ又は複数のボディーセンサを有する少なくとも１つのウェアラブルデバイスと、データを収集及びモニタするためのデータプロセッサを有する１つ又は複数のコンピューティングデバイスとを含む。ウェアラブルデバイスは、話声センサからの話声パターンデータを収集及びモニタすること、並びに／又はボディーセンサからのボディーセンサデータを収集及びモニタすることを行うように構成されている。１つ又は複数のコンピューティングデバイスは、話声パターンデータ及び／又はボディーセンサデータを、複数の情緒的良好さアラートを有する１つ又は複数のデータベースからのデータに対して比較すること、並びに１つ又は複数の情緒的良好さアラートをトリガーするかどうかをその比較に基づいて判定することを行うように構成されている。ウェアラブルデバイスはまた、情緒的良好さアラートのうちの１つ又は複数がトリガーされた場合にアラートメッセージを格納すること、表示すること、示すこと、及び／又は送信することを行うように構造化及び構成されている。
【０００７】
[0007]  本発明のさらに別の態様は、ユーザの情緒的良好さを遠隔からモニタするためのウェアラブルデバイスを対象とし、このウェアラブルデバイスは、話声パターンデータを感知するための話声センサと、ボディーセンサデータを感知するための１つ又は複数のボディーセンサと、データを収集及びモニタするためのデータプロセッサを有する１つ又は複数のコンピューティングデバイスと、データを送信及び／又は受信するための通信モジュールとを含む。コンピューティングデバイスは、話声センサからの話声パターンデータを収集及びモニタすること、並びに／又はボディーセンサからのボディーセンサデータを収集及びモニタすることを行うように構成されている。コンピューティングデバイスはさらに、話声パターンデータ及び／又はボディーセンサデータを、複数の情緒的良好さアラートを有する１つ又は複数のデータベースからのデータに対して比較すること、並びに情緒的良好さアラートのうちの少なくとも１つをトリガーするかどうかをその比較に基づいて判定することを行うように構成されている。通信モジュールは、情緒的良好さアラートのうちの少なくとも１つがトリガーされた場合にアラートメッセージを送信するように構成されている。
【０００８】
[0008]  本発明を例示する目的から、図面が、本発明の１つ又は複数の実施形態の態様を示している。しかしながら、本発明は、図面において示されている厳密な構成及び手段には限定されないということを理解されたい。
【図面の簡単な説明】
【０００９】
【図１】本発明の一実施形態による、ウェアラブルデバイスを用いて介護者デバイスへアラートを送信するための例示的な方法を示す図である。
【図２】本発明の一実施形態による、良好さのメトリックとしての話声パターンの例示的なシステムを示す図である。
【図３】本発明の一実施形態による、ウェアラブルデバイス内に組み込むことができるコンピューティングデバイスの例示的なアーキテクチャー及び機能のブロック図である。
【図４】本発明の一実施形態による、ウェアラブルモニタリングソフトウェアによって生成することができる例示的なアラートを示す例示的なアラートマトリックスを示す図である。
【図５Ａ】本発明の一実施形態による例示的なユーザロケーショングラフィカルユーザインターフェース（ＧＵＩ）を示す図である。
【図５Ｂ】本発明の一実施形態による例示的なユーザアラートＧＵＩを示す図である。
【図５Ｃ】本発明の一実施形態による例示的なユーザ連絡ＧＵＩを示す図である。
【図６Ａ】本発明の一実施形態による例示的な介護者アラートＧＵＩを示す図である。
【図６Ｂ】本発明の一実施形態による例示的な介護者連絡ＧＵＩを示す図である。
【図７Ａ】本発明の一実施形態による例示的なウェアラブルセンサデータベースを示す図である。
【図７Ｂ】本発明の一実施形態による例示的なウェアラブル話声データベースを示す図である。
【図８】本発明の一実施形態による例示的なネットワークロケーションデータベースを示す図である。
【図９】本発明の一実施形態による、老人ホーム、病院、及び１メインストリートのアラートデータベースを含む例示的なネットワークアラートデータベースを示す図である。
【図１０】本発明の一実施形態による例示的なウェアラブルアラートデータベースを示す図である。
【図１１】本発明の一実施形態による、ウェアラブルデバイス基本ソフトウェアのための例示的なアルゴリズムを示す図である。
【図１２】本発明の一実施形態による、ウェアラブルロケーションソフトウェアのための例示的なアルゴリズムを示す図である。
【図１３】本発明の一実施形態による、ネットワークロケーションソフトウェアのための例示的なアルゴリズムを示す図である。
【図１４】本発明の一実施形態による、ウェアラブルモニタリングソフトウェアのための例示的なアルゴリズムを示す図である。
【図１５】本発明の一実施形態による、ウェアラブルセンサソフトウェアのための例示的なアルゴリズムを示す図である。
【図１６】本発明の一実施形態による、介護者デバイスソフトウェアのための例示的なアルゴリズムを示す図である。
【図１７】本発明の一実施形態による、本明細書において開示されている方法のうちの任意の１つ又は複数、及びそれらの任意の１つ又は複数の部分を実施するために使用することができるコンピューティングシステムのブロック図である。
【発明を実施するための形態】
【００１０】
[0009]  本開示は、患者の良好さを遠隔からモニタするための良好さのメトリックとしての話声パターンのシステムを提供するためのシステム、デバイス、及び方法を含む。例示的な一実施形態においては、このシステムは、少なくとも１つのウェアラブルデバイスを含むことができ、このウェアラブルデバイスは、患者に関連付けられているボディーセンサデータ及び話声パターンデータを収集し、それらのデータを分析して、患者の情緒的良好さが損なわれているかどうか、及びアラートが発せられるべきであるということを判定するように構成されている。いくつかの例示的な実施形態においては、このウェアラブルデバイスは、患者の良好さが損なわれていることを示すアラートを少なくとも１つの介護者デバイスへ送信するように構成されることが可能である。このデバイスは、状況を緩和するためのアクションの方針に関する推奨を送信するように構成されることも可能である。いくつかの実施形態においては、アラートは、患者の良好さが損なわれている具体的な様態、及びそのアラートを引き起こしたセンサデータを含めて、そのアラートに関連している特定の情報を含むこともできる。このようなシステム及びデバイスは、さまざまな介護状況、たとえば、介護者から遠く離れている患者、又は自分が実際にはどのように感じているかを介護者に告げることに気が進まない患者など、介護者が患者の良好さに関する正確な情報を入手することが困難である状況において使用されることが可能である。たとえば、高齢者の子供たち、及び老人ホームの職員を含めて、高齢者の介護者は、本開示の実施形態を利用して、それぞれ自分の親又はゲストの良好さに関する正確なリアルタイムの情報を得ることができる。
【００１１】
[0010]  図１は、話声センサとボディーセンサとを有するウェアラブルデバイスを用いて患者の情緒的良好さを遠隔からモニタする例示的な方法１００を示している。一実施形態においては、この方法は、ステップ１０５において話声センサからの話声パターンデータをモニタするステップと、ステップ１１０においてボディーセンサからのボディーセンサデータをモニタするステップとを含むことができる。以降で論じられているように、例示的なウェアラブルデバイスは、さまざまなボディーセンサと、１つ又は複数のマイクロフォンと、センサからデータを受け取り、それらのデータを処理して、ユーザの情緒的良好さをモニタするために使用することができるさまざまなメトリックを入手するための命令を伴うソフトウェアとを含むことができる。示されているように、この方法は、ステップ１１５において話声パターンデータ及びボディーセンサデータを、複数の情緒的良好さアラートを有するアラートデータベースに対して比較するステップを含むこともできる。そしてステップ１２０において、この方法は、話声パターンデータ及びボディーセンサデータが情緒的良好さアラートのうちの少なくとも１つをトリガーして、ユーザの情緒的良好さが損なわれていることを示した場合に介護者へアラートメッセージを送信するステップを含むことができる。
【００１２】
[0011]  図２は、本開示の態様を実施するための、良好さのメトリックとしての話声パターンの例示的なシステム２００を示している。示されているように、例示的なシステム２００は、たとえば「クラウド」又はインターネット２０４を介して、ネットワーク２０６及び１つ又は複数の介護者ユーザデバイス２０８に接続されている１つ又は複数のウェアラブルデバイス２０２を含むことができる。示されているように、ウェアラブルデバイス２０２は、たとえば、Ｗｉ−Ｆｉ（登録商標）、Ｂｌｕｅｔｏｏｔｈ（登録商標）、４Ｇ  ＬＴＥ、セルラーデータなどを含む任意の通信手段によってクラウド又はインターネット２０４を介してネットワーク及び介護者と通信するための通信モジュール２１０を含むことができる。ウェアラブルデバイス２０２は、オペレーティングシステム２１２（「ＯＳ」）、クロック２１４、及びディスプレイ２１６、たとえばタッチディスプレイを有することができ、脈拍センサ２１８（１）、血圧センサ２１８（ｎ）、話声感知のためのマイクロフォンなどの話声センサ２２２、及び天候状態を判定するためのセンサなどの複数のセンサ、並びに／又は外部ソースから気象情報を入手するための機能を有することもできる。ウェアラブルデバイス２０２は、メモリ２２４を含むこともでき、メモリ２２４は、示されているように、さまざまなソフトウェアプログラム及びデータベースを格納することができる。例示的なウェアラブルデバイスメモリデータベースは、録音された話声データを格納するための話声データベース２２６と、話声センサ以外のセンサからのデータを格納するためのセンサデータベース２２８と、患者の良好さが損なわれていてアラートが必要とされていることを示唆するセンサデータ及び話声パターンデータのさまざまな所定の組合せを含むことができるアラートデータベース２３０とを含むことができる。アラートデータベース２３０の情報は、たとえばモニタリングソフトウェア２３２によって、アラート状況が発生しているかどうかを判定するためにセンサデータに対して比較されることが可能である。ウェアラブルデバイス２０２は、ユーザＩＤ情報を格納するためのユーザＩＤデータベース２３３を含むこともできる。
【００１３】
[0012]  ウェアラブルデバイス２０２は、現在のロケーション情報をユーザに提供するためのロケーションソフトウェア２３６を含むさまざまなソフトウェアプログラム２３４を含むこともでき、ロケーションソフトウェア２３６は、ロケーション固有アラートデータを入手するためにユーザロケーションデータをネットワーク２０６へ送信することもできる。ロケーションソフトウェア２３６は、関連付けられているウェアラブルロケーショングラフィカルユーザインターフェース２３８（ＧＵＩ）のためのソフトウェアを含むこともできる。デバイスソフトウェア２３４は、さまざまなウェアラブルデバイスセンサ２１８（１）〜２１８（ｎ）及び話声センサ２２２を機能させて、センサデータ及び話声パターンデータをセンサデータベース及び話声データベース内に格納するためのセンサソフトウェア２４０と、センサデータ並びに話声パターン及び他の音響データをモニタして、アラートが必要とされているかどうかを判定するために、それらのデータをウェアラブルアラートデータベース２３０内の情報などの他の情報に対して比較するためのモニタリングソフトウェア２３２とを含むこともできる。いくつかの例においては、ウェアラブルセンサソフトウェア２４０は、ユーザの話声パターンを判定するためにウェアラブルデバイス２０２上に配置されている、又は他の形でウェアラブルデバイス２０２に動作可能に接続されているウェアラブル話声センサ２２２、たとえば１つ又は複数のマイクロフォンからの音響を処理及び分析するための命令を含むことができる。一例においては、ソフトウェア２４０は、周囲の音からユーザの話声を分離するための当技術分野において知られているアルゴリズムを含むことができる。一例においては、ウェアラブルソフトウェア２４０は、ユーザの話声のさまざまな側面を実質的にリアルタイムで分析して、ユーザが通常の会話に関わっているか、又はユーザが怒鳴っている若しくは他の形で口論していることをユーザの話声が示しているかを判定するように構成されることも可能である。いくつかの例においては、ソフトウェア２４０は、ユーザの話声から分離された周囲の音響があれば、その周囲の音響を分析し、その周囲の音響をさらに処理して、ユーザの近くの人々を含む他者の話声、並びにラジオ、コンピュータ、及びテレビからの話声及び他の音を識別するための命令を有することもできる。一例においては、ソフトウェア２４０は、ユーザの話声の周波数及び他の特徴並びに他者の話声を分析して、ユーザが別の人との会話に関わっていることを相対周波数が示しているかどうかを判定するように構成されることが可能である。
【００１４】
[0013]  いくつかの例においては、ウェアラブルセンサソフトウェア２４０は、ウェアラブルボディーセンサ２１８（１）〜２１８（ｎ）、たとえば脈拍センサ及び血圧センサからのデータを処理して、センサ測定値の変化率を求めて、さまざまなセンサ測定値を相関付けてセンサデータを相互参照及び分析し、心拍変動（ＨＲＶ）などのさまざまなメトリックを計算するためのソフトウェアを含むこともできる。以降で説明されているように、ボディーセンサ２１８（１）〜２１８（ｎ）は、ユーザがいつ目を覚ましているかを特定することを含むさまざまな理由で、及びユーザの物理的なアクティビティーレベルをモニタする目的でユーザの動きを記録するために使用することができる加速度計などの１つ又は複数の動きセンサを含むこともできる。モニタリングソフトウェア２３２は、１つ又は複数のユーザアラートをウェアラブルデバイスディスプレイ２１６上に表示するための、及びアラートを引き起こしたトリガリングデータを任意選択で表示するためのユーザアラートＧＵＩ  ２４２のための命令を含むことができる。モニタリングソフトウェア２３２は、ユーザが介護者に連絡することを可能にするためのユーザ連絡ＧＵＩ  ２４４を提供することもできる。モニタリングソフトウェア２３２は、警告を含む情報を、介護者アラートＧＵＩ  ２４６内に表示する目的で１つ又は複数の介護者ユーザデバイス２０８へ送信することをウェアラブルデバイス２０２に行わせるように構成されることも可能である。
【００１５】
[0014]  例示的な介護者ユーザデバイス２０８も同様に、通信モジュール２４８及びディスプレイ２５０を含むことができ、介護者アラートＧＵＩ  ２４６のための命令を含むソフトウェア２５２を含むこともでき、介護者アラートＧＵＩ  ２４６は、ウェアラブルデバイス２０２から受信されたアラートを表示することができ、アラートを引き起こしたトリガリングデータを任意選択で表示することもできる。介護者ユーザデバイス２０８は、介護者がユーザに連絡することを可能にするための介護者連絡ＧＵＩ  ２５４を含むこともできる。例示的なシステム２００は、ロケーション固有のアラート設定をウェアラブルデバイス２０２に提供するためのネットワーク２０６を含むこともできる。例示的なネットワーク２０６は、ウェアラブルデバイス２０２と通信するための通信モジュール２５６と、以降でさらに説明されているように、特定の地理的ロケーションのための、及び特定のユーザのための複数のアラートデータベースを含むことができるネットワークアラートデータベース２５８と、ネットワークアラートデータベース２５８内の複数のロケーションに関するジオロケーション情報を含むネットワークロケーションデータベース２６０と、ネットワークアラート及びロケーションデータベースを機能させるための、並びにウェアラブルデバイス２０２から情報を送信及び受信することを通信モジュール２５６に行わせるためのネットワークロケーションソフトウェア２６２とを含むことができる。代替実施形態においては、本開示に従って作成された良好さのメトリックとしての話声パターンのシステムは、示されているネットワークを含むことができず、ウェアラブルデバイスが、ロケーション固有の情報を含むすべてのアラートデータベース情報をそのデバイス上にローカルに含むことができる。
【００１６】
[0015]  図３は、本開示の他の図において示されている特徴及びプロセス、並びに本開示の全体を読んだ後に当技術分野における標準的な技術者にとって明らかになるであろう特徴及びプロセスなど、本開示のさまざまな特徴及び／又はプロセスのうちの任意の１つ又は複数を実施するように構成されることが可能である例示的なウェアラブルコンピューティングデバイス３００のブロック図である。示されているように、コンピューティングデバイス３００は、メモリインターフェース３０４と、１つ又は複数のデータプロセッサ、イメージプロセッサ、及び／又は中央処理装置３０８と、周辺機器インターフェース３１２とを含むことができる。メモリインターフェース３０４、１つ又は複数のプロセッサ３０８、及び／又は周辺機器インターフェース３１２は、別々のコンポーネントであることが可能であり、又は１つ若しくは複数の集積回路内で統合されることが可能である。コンピューティングデバイス３００内のさまざまなコンポーネントは、１つ又は複数の通信バス又は信号線によって結合されることが可能である。
【００１７】
[0016]  センサ、デバイス、及びサブシステムを周辺機器インターフェース３１２に結合して、１つ又は複数の機能を容易にすることができる。たとえば、モーションセンサ３１６、光センサ３２０、及び近接度センサ３２４を周辺機器インターフェース３１２に結合して、方位測定、明度測定、及び／又は近接度測定の機能を容易にすることができる。全地球的航法衛星システム（ＧＮＳＳ）（たとえば、ＧＰＳ受信機）、温度センサ、バイオメトリックセンサ、及び／又は１つ若しくは複数の他の感知デバイスなど、他のセンサ３２８を周辺機器インターフェース３１２に接続して、関連した機能を容易にすることもできる。
【００１８】
[0017]  カメラサブシステム３３２及び光センサ３３６、たとえば、電荷結合素子（ＣＣＤ）又は相補型金属酸化膜半導体（ＣＭＯＳ）光センサを利用して、イメージ及び／又はビデオを記録することなどのカメラ機能を容易にすることができる。ユーザの認証中に、たとえば顔認識分析を実行することによって使用されることになるユーザのイメージを収集するために、カメラサブシステム３３２及び光センサ３３６を使用することができる。
【００１９】
[0018]  無線周波数受信機及び送信機並びに／又は光（たとえば、赤外線）受信機及び送信機を含むことができる１つ又は複数のワイヤレス通信サブシステム３４０を通じて通信機能を容易にすることができる。通信サブシステム３４０の具体的な設計及び実施態様は、コンピューティングデバイス３００が機能する際に経由することを意図されている通信ネットワークに依存することがある。たとえば、コンピューティングデバイス３００は、ＧＳＭ（登録商標）ネットワーク、ＧＰＲＳネットワーク、ＥＤＧＥネットワーク、Ｗｉ−Ｆｉ（登録商標）若しくはＷｉＭＡＸ（商標）ネットワーク、及び／又はＢｌｕｅｔｏｏｔｈ（登録商標）ネットワークを介して機能するように設計されている通信サブシステム３４０を含むことができる。とりわけ、ワイヤレス通信サブシステム３４０は、ホスティングプロトコルを含むことができ、それによって、１つ又は複数のデバイス３００は、他のワイヤレスデバイスのための基地局として構成されることが可能である。
【００２０】
[0019]  音響サブシステム３４４をスピーカー３４８及びマイクロフォン３５２に結合して、話者認識、音声複製、デジタル録音、及び／又は電話機能など、音声対応機能を容易にすることができる。音響サブシステム３４４は、音声コマンド、音声印刷、及び音声認証を処理することを容易にするように構成されることが可能である。
【００２１】
[0020]  Ｉ／Ｏサブシステム３５６は、タッチ表面コントローラ３６０及び／又は他の入力コントローラ３６４を含むことができる。タッチ表面コントローラ３６０は、タッチ表面３６８に結合されることが可能である。タッチ表面３６８及びタッチ表面コントローラ３６０は、容量性、抵抗性、赤外線、及び／又は弾性表面波テクノロジー、並びに任意選択で、他の近接度センサアレイ、及び／又はタッチ表面３６８との１つ若しくは複数の接触点を特定するための他の要素を含むがそれらには限定されない複数のタッチセンシティビティーテクノロジーのうちのいずれかの１つ又は複数を使用して、たとえば、接触及び動き又はそれらの欠如を検知することができる。
【００２２】
[0021]  他の入力コントローラ３６４は、１つ又は複数のボタン、ロッカースイッチ、サムホイール、赤外線ポート、ＵＳＢポート、及び／又は、スタイラスなどのポインタデバイスなど、他の入力／コントロールデバイス３７２に結合されることが可能である。１つ又は複数の関連したボタン又は他のコントロール（図示せず）は、スピーカー３４８及び／又はマイクロフォン３５２のボリューム及び／又は振幅コントロール用のアップ／ダウンボタンの１つ又は複数のセットを含むことができる。同じ又は同様のボタン又は他のコントロールを使用して、ユーザは、音声コントロール、又は音声コマンド、モジュールをアクティブ化することができ、それによってユーザは、マイクロフォンに向かってコマンドを発声して、その発声されたコマンドをデバイス３００に実行させることができる。ユーザは、１つ又は複数のボタン又は他のコントロールの機能をカスタマイズすることができる。タッチ表面３６８を使用して、たとえば仮想又はソフトボタン及び／又はキーボードを実施することもできる。
【００２３】
[0022]  いくつかの実施態様においては、コンピューティングデバイス３００は、ＭＰ３、ＡＡＣ、及び／又はＭＰＥＧファイルなど、記録された音響ファイル及び／又はビデオファイルを提示することができる。いくつかの実施態様においては、コンピューティングデバイス３００は、ｉＰｏｄ（登録商標）などのＭＰ３プレーヤの機能を含むことができる。コンピューティングデバイス３００はしたがって、関連したｉＰｏｄ（登録商標）ハードウェアと互換性のある３６ピンコネクタを含むことができる。他の入力／出力及びコントロール用のデバイスを使用することもできる。
【００２４】
[0023]  示されているように、メモリインターフェース３０４は、１つ又は複数のタイプのメモリ３７６に結合されることが可能である。メモリ３７６は、高速ランダムアクセスメモリ及び／又は不揮発性メモリ、たとえば、１つ若しくは複数の磁気ディスクストレージデバイス、１つ若しくは複数の光ストレージデバイス、及び／又はフラッシュメモリ（たとえば、ＮＡＮＤ、ＮＯＲ）を含むことができる。メモリ３７６は、Ｄａｒｗｉｎ（商標）、ＲＴＸＣ、ＬＩＮＵＸ、ＵＮＩＸ（登録商標）、ＯＳ  Ｘ（商標）、ＷＩＮＤＯＷＳ（登録商標）などのオペレーティングシステム３８０、及び／又はＶｘＷｏｒｋｓなどの組み込みオペレーティングシステムを格納することができる。オペレーティングシステム３８０は、基本的なシステムサービスを取り扱うための、及び／又はハードウェアに依存するタスクを実行するための命令を含むことができる。いくつかの実施態様においては、オペレーティングシステム３８０は、カーネル（たとえば、ＵＮＩＸ（登録商標）カーネル）を含むことができる。さらに、いくつかの実施態様においては、オペレーティングシステム３８０は、音声認証を実行するための命令を含むことができる。
【００２５】
[0024]  メモリ３７６は、１つ若しくは複数のさらなるデバイス、１つ若しくは複数のコンピュータ、及び／又は１つ若しくは複数のサーバと通信することを容易にするための通信命令３８２を格納することもできる。追加として、又は代替として、メモリ３７６は、グラフィックユーザインターフェース処理を容易にするためのグラフィカルユーザインターフェース命令３８４、センサ関連処理及び機能を容易にするためのセンサ処理命令３８６、電話関連プロセス及び機能を容易にするための電話命令３８８、電子メッセージング関連プロセス及び機能を容易にするための電子メッセージング命令３９０、ウェブブラウジング関連プロセス及び機能を容易にするためのウェブブラウジング命令３９２、メディア処理関連プロセス及び機能を容易にするためのメディア処理命令３９４、ＧＮＳＳ及びナビゲーション関連プロセス及び命令を容易にするためのＧＮＳＳ／ナビゲーション命令３９６、並びに／又はカメラ関連プロセス及び機能を容易にするためのカメラ命令３９７を含むことができる。メモリ３７６は、他のプロセス及び機能を容易にするための他のソフトウェア命令３９８を格納することができる。たとえば、他のソフトウェア命令３９８は、デバイス３００が着用されているときにユーザが歩く歩数を数えるための命令を含むことができる。
【００２６】
[0025]  メモリ３７６は、ウェブビデオ関連プロセス及び機能を容易にするためのウェブビデオ命令、並びに／又はウェブショッピング関連プロセス及び機能を容易にするためのウェブショッピング命令など、他のソフトウェア命令（図示せず）を格納することもできる。いくつかの実施態様においては、メディア処理命令３９４は、音響処理関連プロセス及び機能並びにビデオ処理関連プロセス及び機能をそれぞれ容易にするための音響処理命令及びビデオ処理命令へと分割されることが可能である。アクティベーションレコード及び国際移動体装置識別番号（ＩＭＥＩ）３９９又は同様のハードウェア識別子をメモリ３７６内に格納することもできる。
【００２７】
[0026]  上で識別されている命令及びアプリケーションのそれぞれは、本明細書において説明されている１つ又は複数の機能を実行するための命令のセットに対応することが可能である。これらの命令は、必ずしも別々のソフトウェアプログラム、プロシージャー、又はモジュールとして実施される必要はない。メモリ３７６は、さらなる命令又はより少ない命令を含むことができる。さらに、コンピューティングデバイス３００のさまざまな機能は、１つ又は複数の信号処理及び／又は特定用途向け集積回路を含めて、ハードウェアで、及び／又はソフトウェアで実施されることが可能である。
【００２８】
[0027]  図４は、モニタリングソフトウェアによって受信されたセンサデータの組合せが、図４において示されている組合せのうちの１つ又は複数にマッチした場合にユーザアラートＧＵＩ  ２４２及び介護者アラートＧＵＩ  ２４６のうちの少なくとも１つの上に表示するための、ウェアラブルモニタリングソフトウェア２３２によって生成されることが可能である例示的なアラートを示す例示的なアラートマトリックス４００を示している。したがって、アラートマトリックス４００、たとえば図４において示されているアラートマトリックスを使用して、２つの表示の組合せを識別することができ、それらの２つの表示は、同時に発生している場合には、望ましくない状況を示唆しており、その状況では、ユーザアラートＧＵＩ  ２４２を介したウェアラブルデバイス２０２のうちの１つ又は複数、及び１人又は複数の介護者による介入が望まれる。示されているように、示されている例示的なアラートマトリックス４００は、左手の列に沿ってさまざまな話声センサデータカテゴリーを、及び最も上の行に沿って他の非話声データタイプを含み、それぞれのアラートは、話声センサ測定値と、心拍数、血圧、天候、及び時刻などの別のセンサ測定値との特定の組合せに基づく。理解できるであろうが、他の実施形態においては、アラートは、２つよりも多いセンサタイプ、たとえば、３次元の、又はそれよりも高い次元のマトリックスなどからのデータの組合せに基づくことが可能であり、その場合には、アラートは、３つ以上のデータタイプ及び／又は値の組合せに基づく。また、いくつかのアラートは、話声センサデータを含まないセンサデータの組合せに基づくことが可能である。
【００２９】
[0028]  一例においては、アラートデータベースが、１つ又は複数のうつ状態アラートを含むことができ、それらのうつ状態アラートは、トリガーされた場合には、ユーザがうつ病を患っている可能性があることを示す。一例においては、うつ状態アラートは、軽度の孤独感から重度のうつ病までの表示を含むさまざまな異なるアラートを広く含むことができる。図４は、最小脈拍値、たとえば６０ｂｐｍを下回る脈拍数、及び最小血圧値、たとえば９０ｍｍＨＧを下回るユーザの血圧を含む、所定の値を下回るボディーセンサからの測定値と組み合わされた、より低いレベルの話す時間、他者と対話することに費やされた時間、又はＴＶの前でのさらに高いレベルの時間の組合せを含むうつ状態アラートの例を示している。理解できるであろうが、これらの最小値は、例として提供されているにすぎず、これらの最小値を変更して、たとえば、アラートをユーザの特定の基本器官向けに調整することができ、又は、以降でさらに説明されているように、アラートを特定の地理的ロケーション向けに調整することができ、したがってウェアラブルデバイス２０２の感度をユーザロケーションに基づいて調節することができる。うつ状態アラートの他の例は、曇り若しくは雨などの劣悪な天候を示す、ウェアラブルデバイスによって受け取られた若しくは感知された気象値と組み合わされた、又は時刻と組み合わされた最小の発話を含む。さらに、他のうつ状態アラートは、低いレベルの発話の表示を、ウェアラブルソフトウェア３３４によって脈拍数から計算されることが可能である低いＨＲＶと組み合わせることを含むことができる。一例においては、ウェアラブルソフトウェア２３４は、ユーザが話していない時間のパーセントに基づいて不対話値を計算するための命令を含むことができ、うつ状態アラートは、不対話値と他のデータとの特定の組合せによってトリガーされることが可能である。一例においては、不対話値は、発話又は対話のパーセントを、ユーザに関連付けられている標準的な基準値へ標準化するためのファクタを含めて、話声センサによって検知された生の不対話時間に加えるファクタを含むことができる。別の例においては、不対話のタイプ、たとえば、他者と話していないがウォーキング又は運動に費やされた時間か、他者に話すことではなくＴＶを見ることに費やされた時間かに応じて、異なるファクタを適用することができる。さらに別の例においては、ウェアラブルデバイス２０２は、ユーザが目を覚ましているかどうかを判定するように、及びユーザが眠っている時間中の話声パターンデータを不対話値の計算に含めないように構成されることが可能である。一例においては、ウェアラブルソフトウェア２３４は、ユーザが目を覚ましていることを示す信号、たとえば、ウェアラブル動きセンサからのユーザの動き、又はユーザが目を覚ましていることを示すウェアラブル話声センサからの音響、たとえば、ユーザの話声、若しくはテレビ、ラジオ、若しくはコンピュータの音などの周囲の音をデバイス２０２が受け取らない限り、夜の時間中にはユーザが眠っていると想定する命令を含むことができる。一例においては、ウェアラブルデバイス２０２は、夜の時間になっていて、かつ周囲の音を���知した場合には、ユーザが目を覚ましているかどうかをユーザに尋ねるプロンプトをユーザに発することもできる。
【００３０】
[0029]  例示的な良好さアラートは、１つ又は複数のストレスアラートを含むこともでき、それらのストレスアラートは、トリガーされた場合には、ユーザがストレスのもとにある又は他の形で過度に興奮していることを示す。図４は、最大値よりも大きい、少なくとも１つのボディーセンサからの測定値と組み合わされた、他者との間で発話又は対話している時間のパーセントを含むことができる例示的なストレスアラートを示している。例示的なボディーセンサ測定値は、最大脈拍値、たとえば１００ｂｐｍを上回る脈拍数、及び最大血圧値、たとえば１４０ｍｍＨＧを上回るユーザの血圧を含むことができる。理解できるであろうが、これらの最大値は、例として提供されているにすぎず、これらの最大値を変更して、たとえば、アラートをユーザの特定の基本器官向けに調整することができ、又は、以降でさらに説明されているように、アラートを特定の地理的ロケーション向けに調整することができ、したがってウェアラブルデバイスの感度をユーザロケーションに基づいて調節することができる。他の例においては、ストレスアラートは、１つ又は複数のボディーセンサ測定値における変化率が最大変化率よりも大きいということと同時に、本明細書において論じられている話声タイプのうちのいずれかをウェアラブル話声センサ２２２が検知した場合にトリガーされるアラートを含むことができる。さらに別の例においては、ボディーセンサ測定値における変化率が最大変化率を上回ったのと同時の又はそれに最も近い検知された音の始まりによってストレスアラートがトリガーされることが可能である。
【００３１】
[0030]  ストレス及びうつ状態アラートは、その用語が本明細書において使用される際には、睡眠障害アラートを含むこともできる。なぜなら、睡眠障害はしばしば、さまざまな程度のストレス又は孤独感又はうつ状態によってもたらされることがあるからである。示されている例においては、睡眠に関連したアラートは、特定の音又は話声パターン、たとえば、夜の時間中に他者との間で発話若しくは対話している、又はＴＶを見ている時間のパーセントの検知を含むことができる。うつ状態アラートに関連して上で論じられているように、ウェアラブルデバイス２０２は、睡眠障害に関連したうつ状態又はストレスアラートを生成する前に、ユーザが目を覚ましていることを検証するように構成されることが可能である。
【００３２】
[0031]  図５Ａ〜図５Ｃは、本開示に従って作成された、ウェアラブルデバイス２０２内に含めることができる３つの例示的なＧＵＩを示している。図５Ａにおいて示されているように、ウェアラブルデバイス２０２は、ユーザの現在のロケーションを確認するためのユーザロケーションＧＵＩを含むことができる。示されているように、このロケーションＧＵＩは、現在のロケーションを特定したいというユーザからの要求を受信するための「ＧＰＳロケーションを取得する」ボタン５０２と、現在のロケーションであるとウェアラブルデバイスが特定したものを表示することができるロケーションフィールド５０４とを含むことができる。以降でさらに説明されているように、いくつかの実施形態においては、現在のロケーション情報は、ウェアラブルデバイス２０２が現在のジオロケーション情報をネットワーク２０６へ送信したことに応答してネットワークロケーションデータベース２６０から受信されることが可能である。いくつかの実施形態においては、ロケーションＧＵＩ  ２３８は、表示されている現在のロケーションが正確である旨の確認をユーザがネットワーク２０６へ送信することを可能にするための承認ボタン５０６を含むこともでき、それに応答して、ネットワーク２０６は、適切なアラートデータベース２３０をウェアラブルデバイス２０２へ送信することができる。ＧＵＩ  ２３８は、ユーザロケーションＧＵＩを閉じるための閉じるボタン５０８を含むこともできる。図５Ｂにおいて示されているように、このデバイスは、ウェアラブルデバイス２０２のユーザにアラートを表示するためのユーザアラートＧＵＩを含むこともできる。この例示的なＧＵＩは、ユーザの情緒的良好さが損なわれる可能性があるということをそのユーザに通知するアラートテキストを表示するためのテキストボックス５１０を含むことができ、ユーザの情緒的良好さを改善するための推奨を表示することもできる。示されている例においては、アラートは、ユーザが誰かと対話している時間のパーセントと、ストレスアラートに関連付けられている最大脈拍値よりも大きい脈拍測定値との組合せに基づいて、ストレスを受けている又は動揺している状態を判定することに基づくストレスアラートの一例である。ユーザアラートＧＵＩ  ２４２は、会話をユーザのストレスの潜在的な源として識別するメッセージと、そのストレスを緩和するための推奨、ここでは、しばらく１人ですごして落ち着くこととを５１０で表示することもできる。ユーザアラートＧＵＩ  ２４２は、トリガリングデータ表示５１２を含むこともでき、トリガリングデータ表示５１２は、アラートを引き起こしたセンサデータを示すことができる。この例においては、トリガリングデータは、別の人との対話のパーセント、及び心拍数又は脈拍を含む。ユーザアラートＧＵＩ  ２４２は、介護者に連絡するボタン５１４（選択された場合には、介護者に連絡するためのユーザ連絡ＧＵＩ  ２４４を実行することができる）と、このアラートＧＵＩを閉じるための閉じるボタン５１６とを含むこともできる。図５Ｃは、例示的なユーザ連絡ＧＵＩ  ２４４を示しており、このユーザ連絡ＧＵＩ  ２４４は、示されている例においては、テキストメッセージを表示するためのウィンドウ５２０と、仮想キーボード５２２とを含む、介護者と通信するためのテキスティングプログラムである。他の例においては、ユーザ連絡ＧＵＩ  ２４４は、さらなる通信オプションを提供するための電話（セルラー、インターネットベースのものなどを含む）、ビデオ、及びＥメール機能を含むこともできる。ＧＵＩ  ２４４は、ユーザ連絡ＧＵＩを閉じるための閉じるボタン５２４を含むこともできる。
【００３３】
[0032]  図６Ａ及び図６Ｂは、アラートＧＵＩ  ２４６と連絡ＧＵＩ  ２５４とを含む例示的な介護者デバイスＧＵＩを示している。この例示的なアラートＧＵＩ  ２４６は、アラートメッセージを表示するためのテキストボックス６０２を含めて、ウェアラブルデバイスユーザアラートＧＵＩ  ２４２に類似している特徴を含むことができる。示されている例においては、ユーザデバイス上に表示されている同じメッセージを表示するよりもむしろ、代わりに介護者デバイス２０８上のアラートメッセージを介護者用に調整することができる。示されている例は、口論が発生している可能性があることを示すショートメッセージである。代替例においては、関連付けられている医療情報及び／又は患者固有のアラート履歴など、さらなる情報を提供することができる。示されているように、介護者アラートＧＵＩ  ２４６は、そのアラートが関連付けられているユーザ又は患者を識別するユーザ名６０４、並びにそのアラートを引き起こしたセンサデータを示すトリガリングデータ６０６、及び介護者連絡ＧＵＩ  ２５４を実行するためのユーザに連絡するボタン６０８、並びにこのＧＵＩを閉じるための閉じるボタン６１０を含むこともできる。介護者連絡ＧＵＩ２５４は、ユーザ連絡ＧＵＩ  ２４４と実質的に同じであることが可能であり、ユーザに、並びにいくつかの例においては、介護者がユーザアラート情報を伝えるために連絡したいと望む可能性がある他の人々に連絡するためのテキスト、電話、ビデオ、及びＥメール機能のうちの１つ又は複数を含むことができる。介護者連絡ＧＵＩ  ２５４は、テキストメッセージを表示するためのメッセージディスプレイ６１２と、仮想キーボード６１４と、このＧＵＩを閉じるための閉じるボタン６１６とを含むことができる。
【００３４】
[0033]  図７Ａ及び図７Ｂは、例示的なウェアラブルセンサ及びウェアラブル話声データベース（図２）を示している。図７Ａにおいて示されているように、ウェアラブルセンサデータベース２２８は、一例においては、それぞれの時間データが記録されるための行と、それぞれのセンサタイプのための列とを含むことができる。示されている例においては、データは２０分ごとに記録されているが、他のさまざまなインターバルを使用することもできる。代替実施形態においては、ウェアラブルセンサデータベース２２８は、センサ測定値のうちのさまざまな測定値に関して別々のテーブルを含むことができ、これは、特定のセンサに関してデータポイントどうしの間におけるタイムインターバルが変更されることを可能にして、センサタイプごとにタイムインターバルを最適化することができる。非限定的な例に関して、いくつかのケースにおいては、より多くのデータが、気象センサにとってよりも、加速度計にとって望ましいことがある。加えて、代替実施形態においては、センサのタイプ及び数を変更することができる。図７Ｂにおいて示されているように、ウェアラブル話声データベース２２６は、１つ又は複数の話声センサからのデータを含むことができ、ウェアラブルデバイス２０２の上又は外部の話声センサ２２２又は他のソフトウェアによって実行された可能性があるデータの分析からの結果を含むこともできる。たとえば、それらの分析結果は、録音された音が、別の人との会話に相当するか、又はテレビ若しくはラジオからのノイズを含む周囲のバックグラウンドノイズに相当するか、又はユーザが自分自身で大声で話しているかを判定するための話声データの分析を含むことができる。そのような分析の結果は、話声データベース２２６に、たとえば「タイプ」の列に格納されることが可能である。話声データベース２２６は、アラートデータベースによって使用されることが可能である１つ又は複数の累積データ列を含むこともできる。示されている例においては、このデータベースは、別の人との対話のパーセント、話している時間のパーセント、及びテレビを見ている時間のパーセントを含む、話声センサから入手された情報に関連した３つの累積データ列を含む。示されている例においては、センサからのデータは、２０分ごとにデータベースに格納され、累積データは、前の１時間分のデータに基づく。他の例においては、累積データのための他のタイムインターバル及び他の持続時間を使用することもできる。
【００３５】
[0034]  図８は、例示的なネットワークロケーションデータベース（図２）を示している。示されているように、ネットワークロケーションデータベース２６０は、所与のロケーションに関するＧＰＳロケーション及び半径又はジオフェンスと、そのロケーションをネットワークアラートデータベース２５８（図９は、ＧＰＳロケーションに関連付けることができる例示的なネットワークアラートデータベースを示している）内のテーブルにリンクする一意の識別子とを含むことができる。したがって、例示的なネットワークロケーションデータベース２６０は、さまざまなロケーションに関する特定のユーザに関するジオロケーション情報を格納することができ、その情報を使用して、特定のユーザに関する適切なアラートデータベースを特定することができる。図９において示されているように、ネットワークアラートデータベース２５８は、特定のユーザに関する特定の地理的ロケーションに関する複数のロケーションベースの良好さアラートデータベースを含むことができる。上述のように、ウェアラブルデバイス内のアラートデータベースは、そのウェアラブルデバイスの現在の地理的ロケーションに基づいて継続的に又は定期的に更新されるように構成されることが可能である。たとえば、ウェアラブルデバイス２０２が、老人ホームに関連付けられているＧＰＳロケーションにある場合には、ウェアラブルデバイスアラートデータベース２３０は、ネットワークアラートデータベース２５８から老人ホームデータベース９０２を受信することができる。ユーザが次いで老人ホームを出て病院へ移動した場合には、ウェアラブルデバイスアラートデータベース２３０はクリアされて、次いで病院ネットワークアラートデータベース９０４を用いて更新されることが可能である。したがって、さまざまなボディーセンサしきい値を有するさまざまなロケーションベースのアラートデータベースをアップロードすることによって、ユーザロケーションに伴ってウェアラブルデバイス良好さアラートの感度を変更することができる。そのようなアプローチは、所与のロケーションにおいてアラートを引き起こすセンサ測定値のしきい値及び／又はセンサ測定値の組合せを最適化することを可能にすることができる。たとえば、ユーザが、そのユーザにとって不安をもたらすとわかっているロケーション、たとえばグループの集まりにいる場合には、より低いしきい値でアラートをトリガーすることができ、介護者の介入がさほど必要とされていない、又はすぐに利用可能なものとしては必要とされていない他の状況においては、しきい値を上げることができる。示されている例においては、ネットワークデータベースのうちのそれぞれは、同じ２つのデータタイプ、すなわち脈拍及び話声タイプを、ユーザアラートＧＵＩ及び介護者アラートＧＵＩ用の対応するアラートレベル及び関連付けられているアクション又は警告とともに含む。他の例においては、示されているデータタイプに加えて、又はその代わりに、他の多くのデータタイプを使用することができる。また、データタイプはロケーションごとに変わることが可能であり、それによって、所与のロケーションに関する予想される警告状況に関する最も関連性の高いセン���データタイプをモニタすることができる。さらに他の例においては、ウェアラブルシステムは、ジオロケーションにかかわらずにすべての利用可能なデータを分析及び比較することができ、アラート状況が発生しているかどうかを判定するためのしきい値のみが、ロケーションどうしの間において変わることが可能であり、しきい値データセットは、ネットワークアラートデータベース２５８から送信される唯一の情報であることが可能である。理解できるであろうが、ネットワークアラートデータベース２５８内のロケーションの数は、事実上無限であることが可能であり、介護者によって作成されたロケーション、並びにユーザによって作成されたロケーションを含むことができる。図１０は、老人ホームアラートデータベース９０２に関連付けられているＧＰＳロケーションにユーザが位置している場合のウェアラブルアラートデータベース２３０の一例を示している。たとえば、図１０において示されている老人ホームアラートデータベース９０２は、図９において示されているネットワークアラートデータベース２５８内の老人ホームデータベース９０２と同じであることが可能であり、たとえば、ネットワークロケーションデータベース２６０（図２及び図８）内に格納されている老人ホームに関連付けられているＧＰＳロケーションのジオフェンス内の地理的ロケーションにユーザが位置していたときにネットワークアラートデータベース２５８から受信されていた可能性がある。
【００３６】
[0035]  図１１は、ウェアラブルデバイス２０２上のさまざまなソフトウェアを調和させて実行すること、このウェアラブルデバイスのさまざまなコンポーネントを調和させて実行すること、並びにネットワーク及び介護者デバイスなどの外部システムコンポーネントとの通信のうちの１つ又は複数を行うためのこのデバイスの基本ソフトウェア２３４のための例示的な機能１１００を示している。示されているように、基本ソフトウェア機能のうちのいくつかは、ステップ１１０５において、現在のロケーションを特定するためにウェアラブルデバイスロケーションソフトウェア２３６を実行すること、ステップ１１１０において、ロケーション情報をネットワーク２０６へ送信してロケーション固有アラートデータを要求するためにデバイス通信モジュール２１０を実行すること、及びステップ１１１５において、センサデータをモニタしてそのセンサデータをアラートデータベースに対して比較して、アラート状況が発生しているかどうかを判定するためにウェアラブルデバイスモニタリングソフトウェア２３２を実行することを含むことができる。
【００３７】
[0036]  図１２は、ウェアラブルデバイスロケーションソフトウェア２３６モジュール（図２）のための例示的な機能１２００を示している。ステップ１２０５において示されているように、ウェアラブルデバイス２０２上のロケーションソフトウェアは、ウェアラブルロケーションＧＵＩ  ２３８を表示して、ロケーション情報の取得を開始するためのユーザからの命令を受け取るように構成されることが可能である。ステップ１２１０において、ロケーションソフトウェア２３６は、ＧＰＳデバイスからＧＰＳ座標を取得するように構成されることも可能であり、ステップ１２１５においてそれらのＧＰＳ座標をネットワーク２０６へ送信する。ステップ１２２０において、ロケーションソフトウェア２３６は、ネットワークロケーションソフトウェア２６２を実行して、対応するアラートデータベースを返すようネットワークに要求する。図１３は、ネットワーク２０６がウェアラブルデバイスからＧＰＳ座標を受信した場合にステップ１３０５において実行されることが可能である、ネットワークロケーションソフトウェア２６２のための例示的な機能１３００を示している。示されているように、ステップ１３１０において、ネットワークロケーションソフトウェアは、ウェアラブルデバイス２０２のジオロケーション情報を受信して、その情報をネットワークロケーションデータベースに対して比較して、マッチがあるかどうかを判定するように構成されることが可能であり、マッチがある場合には、ステップ１３１５において、そのマッチしているロケーションは、ユーザによる確認のためにウェアラブルロケーションＧＵＩ  ２３８上に表示するためにウェアラブルデバイス２０２へ送信される。ユーザがステップ１３２０においてそのロケーションを検証した後に、そのマッチしているロケーションに対応するネットワークアラートデータベースが、ステップ１３２５においてウェアラブルデバイスへ送信されることが可能である。代替実施形態においては、ネットワークは、ロケーションのユーザ検証を要求することができず、代わりにウェアラブルデバイスの現在のロケーションに関するアラートデータベースをすぐに送信することができる。
【００３８】
[0037]  図１４は、ウェアラブルデバイスモニタリングソフトウェア２３２のための例示的な機能１４００を示している。示されているように、モニタリングソフトウェア２３２は、現在のセンサデータがアラート状況を示しているかどうかを判定することに関連付けられている、及びアラートをユーザ及び１人又は複数の介護者に発するためのさまざまな機能を実行することができる。図１４においてさらに詳細に提供されているように、モニタリングソフトウェア２３２は、ステップ１４２０における実行に際して、ウェアラブルセンサソフトウェア２４０（図１４における「１」によって表されており、図１５においてさらに詳細に説明されている）を実行し、次いでステップ１４１５においてセンサデータベース２２８からセンサデータを取り出し、ステップ１４２０においてそのデータをウェアラブルアラートデータベース２３０内の情報と比較して、マッチがあるかどうか（１４２５）、及びアラートのうちの１つ又は複数がトリガーされていることを判定するように構成されることが可能である。示されているように、ソフトウェア２３２は、ユーザの情緒的良好さが損なわれていることを示すマッチがあるまで、更新されたセンサデータをアラート設定に対して比較し続けることができる。マッチがある場合には、ステップ１４２０において、このプログラムは、ユーザアラートＧＵＩ  ２４２を適切なメッセージとともに表示することができ、ステップ１４３５において、アラートを、ユーザＩＤ情報、及びそのアラートを引き起こしているセンサ測定値のコピーとともに１つ又は複数の介護者デバイス２０８へ送信することもできる。介護者デバイス２０８は次いで、アラートを受信した後にさらなるオペレーションを実行することができ、それは、図１４における「２」によって表されており、以降で図１６に関連してさらに説明されている。ステップ１４４５において、情報を介護者デバイス２０８へ送信した後に、モニタリングソフトウェア２３２は、ユーザからの要求に応答して、たとえば、アラートを引き起こした話声センサデータ及び他のデータを含むセンサデータを表示することができ、ユーザからの要求に応答して、ユーザ連絡ＧＵＩ  ２４４を表示して、ステップ１４５０において指定の介護者との通信要求を開始することもできる。ステップ１４５５において、デバイスは、アラートＧＵＩ  ２４２及び／又は連絡ＧＵＩ  ２４４を表示することを、ＧＵＩを閉じる（１４６０）ためのユーザからの命令をモニタリングソフトウェア２３２が受信するまで続けることができ、その閉じるケースにおいては、プログラムは、「開始」へ戻って、別の警告状態を探して新たなセンサデータをモニタし始めることができる。
【００３９】
[0038]  図１５は、たとえば、上で論じられている図１４における「１」においてモニタリングソフトウェア２３２によって呼び出されることが可能である、ウェアラブルセンサソフトウェア２４０のための例示的な機能１５００を示している。示されているように、ステップ１５０５において、センサソフトウェア２４０は、ウェアラブルセンサ２１８（１）〜２１８（ｎ）及びウェアラブルクロック２１４の測定値を継続的に又は断続的に取り、ステップ１５１０において、それらの測定値をウェアラブルセンサデータベース２２８に保存するように構成されることが可能である。ステップ１５１５において、センサソフトウェア２４０は、ウェアラブル話声センサ２２２及びウェアラブルクロック２１４からの測定値を取り、ステップ１５２０において、それらの測定値をウェアラブル話声センサデータベース２２６に保存することができる。ステップ１５２５において、センサソフトウェア２４０は、取得されたセンサデータ及び時間情報、たとえば、任意の所定の時間、たとえば１時間にわたる対話している、話している、ＴＶを見ているなどの時間のパーセントに基づいて累積データを計算することもできる。ステップ１５３０において、センサソフトウェア２４０は、計算された累積データを、上述の図１４における「１ａ」において始まるモニタリングソフトウェア２３２による分析のために話声センサデータベース２２６に保存することもできる。
【００４０】
[0039]  図１６は、上述の図１４において「２」として表されている、ユーザデバイスからのアラートを受信した後に実行されることが可能である、介護者ソフトウェア２５２のための例示的な機能１６００を示している。図１６において示されているように、ステップ１６０５〜１６２０において、介護者ソフトウェア２５２は、ユーザデバイス２０２からのアラートメッセージを、ユーザＩＤ、及びそのアラートを引き起こしたセンサデータとともに受信して、それらの情報を介護者アラートＧＵＩ  ２４６上に表示するように構成されることが可能である。ステップ１６２５において、ソフトウェア２５２は、ウェアラブルセンサデータベース２２８及びウェアラブル話声センサデータベース２２６からのデータを受信し、ステップ１６３０において、それらのデータを介護アラートＧＵＩ  ２４６上に表示し、ステップ１６３５において、介護者が、介護者アラートＧＵＩ  ２４６上で「ユーザに連絡する」を選択することによってユーザとの通信を開始することを可能にすることができる。
【００４１】
[0040]  本開示の実施形態は、ウェアラブルデバイス２０２と、介護者ユーザデバイス２０８と、ネットワーク２０６とを含むウェアラブル健康システムを提供する例示的な方法を含む。いくつかの実施形態においては、例示的なプロセスは、ロケーション情報を特定するためにウェアラブルデバイス２０２上のソフトウェアを実行するステップと、ロケーション固有のアラート情報をウェアラブルデバイス２０２に提供するためにネットワーク２０６上のソフトウェアを実行するステップと、ウェアラブルデバイス２０２を使用してアラート状態を探してモニタするために、そしてアラートがトリガーされると、そのアラートをさらなる情報及びさらなるオプションとともにユーザ及び介護者に通信するために、本明細書において説明されているさまざまなソフトウェアモジュールを実行するステップとを含むことができる。
【００４２】
[0041]  コンピュータ技術分野における標準的な技術者にとっては明らかであろうが、本明細書において説明されている態様及び実施形態のうちの任意の１つ又は複数は、本明細書の教示に従ってプログラムされた１つ又は複数のマシン（たとえば、電子ドキュメント用のユーザコンピューティングデバイスとして利用される１つ又は複数のコンピューティングデバイス、ドキュメントサーバなどの１つ又は複数のサーバデバイスなど）を使用して便利に実施されることが可能である。ソフトウェア技術分野における標準的な技術者にとっては明らかであろうが、本開示の教示に基づけば、熟練したプログラマによって適切なソフトウェアコーディングが容易に準備されることが可能である。ソフトウェア及び／又はソフトウェアモジュールを採用する上述の態様及び実施態様は、そのソフトウェア及び／又はソフトウェアモジュールのマシン実行可能命令の実施において支援を行うための適切なハードウェアを含むこともできる。
【００４３】
[0042]  そのようなソフトウェアは、マシン可読ストレージメディアを採用するコンピュータプログラム製品であることが可能である。マシン可読ストレージメディアは、マシン（たとえば、コンピューティングデバイス）による実行のための、かつ、本明細書において説明されている方法及び／又は実施形態のうちのいずれか１つをマシンに実行させる命令のシーケンスを格納及び／又はエンコードすることができる任意のメディアであることが可能である。マシン可読ストレージメディアの例は、磁気ディスク、光ディスク（たとえば、ＣＤ、ＣＤ−Ｒ、ＤＶＤ、ＤＶＤ−Ｒなど）、光磁気ディスク、読み取り専用メモリ「ＲＯＭ」デバイス、ランダムアクセスメモリ「ＲＡＭ」デバイス、磁気カード、光カード、ソリッドステートメモリデバイス、ＥＰＲＯＭ、ＥＥＰＲＯＭ、及びそれらの任意の組合せを含むが、それらには限定されない。マシン可読メディアは、本明細書において使用される際には、単一のメディア、並びに物理的に別々のメディアの集合、たとえば、コンパクトディスクの集合、又はコンピュータメモリと組み合わせた１つ若しくは複数のハードディスクドライブなどを含むことを意図されている。本明細書において使用される際には、マシン可読ストレージメディアは、一時的な形態の信号送信を含まない。
【００４４】
[0043]  そのようなソフトウェアは、搬送波など、データ担体上のデータ信号として搬送される情報（たとえば、データ）を含むこともできる。たとえば、マシン実行可能情報は、データ担体において具体化されるデータ搬送信号として含まれることが可能であり、その信号は、マシン（たとえば、コンピューティングデバイス）による実行のための命令のシーケンス、又はその一部と、本明細書において説明されている方法及び／又は実施形態のうちのいずれか１つをマシンに実行させる任意の関連した情報（たとえば、データ構造及びデータ）とをエンコードしている。
【００４５】
[0044]  コンピューティングデバイスの例は、電子ブック読み取りデバイス、コンピュータワークステーション、端末コンピュータ、サーバコンピュータ、ハンドヘルドデバイス（たとえば、タブレットコンピュータ、スマートフォンなど）、ウェブアプライアンス、ネットワークルータ、ネットワークスイッチ、ネットワークブリッジ、任意のマシンであって、そのマシンによって取られることになるアクションを指定する命令のシーケンスを実行することができるマシン、及びそれらの任意の組合せを含むが、それらには限定されない。一例においては、コンピューティングデバイスは、キオスクを含むこと、及び／又はキオスクに含まれることが可能である。
【００４６】
[0045]  図１７は、コンピュータシステム１７００という例示的な形態でのコンピューティングデバイスの一実施形態の図表示を示しており、その内部では、コントロールシステム、たとえば、本開示のさまざまなシステムのうちの任意の１つ又は複数、たとえば、本開示の他の図において示されているシステム、並びに、本開示の全体を読んだ後なら当技術分野における標準的な技術者にとって明らかであろうシステムに、本開示の態様及び／又は方法のうちの任意の１つ又は複数を行わせるための命令のセットが実行されることが可能である。複数のコンピューティングデバイスを利用して、それらのデバイスのうちの１つ又は複数に本開示の態様及び／又は方法のうちの任意の１つ又は複数を行わせるための命令の特別に構成されたセットを実施することができるということも考えられる。コンピュータシステム１７００は、プロセッサ１７０４及びメモリ１７０８を含み、それらは、バス１７１２を介して互いに、及び他のコンポーネントと通信する。バス１７１２は、さまざまなバスアーキテクチャーのいずれかを使用する、メモリバス、メモリコントローラ、ペリフェラルバス、ローカルバス、及びそれらの任意の組合せを含むがそれらには限定されないいくつかのタイプのバス構造のいずれかを含むことができる。
【００４７】
[0046]  メモリ１７０８は、ランダムアクセスメモリコンポーネント、読み取り専用コンポーネント、及びそれらの任意の組合せを含むがそれらには限定されないさまざまなコンポーネント（たとえば、マシン可読メディア）を含むことができる。一例においては、基本入出力システム１７１６（ＢＩＯＳ）は、スタートアップ中などにコンピュータシステム１７００内の要素どうしの間において情報を転送するのを補助する基本ルーチンを含み、メモリ１７０８内に格納されることが可能である。メモリ１７０８は、本開示の態様及び／又は方法のうちの任意の１つ又は複数を具体化する命令（たとえば、ソフトウェア）１７２０を含むこと（たとえば、１つ又は複数のマシン可読メディア上に格納されること）も可能である。別の例においては、メモリ１７０８は、オペレーティングシステム、１つ又は複数のアプリケーションプログラム、他のプログラムモジュール、プログラムデータ、及びそれらの任意の組合せを含むがそれらには限定されない任意の数のプログラムモジュールをさらに含むことができる。
【００４８】
[0047]  コンピュータシステム１７００は、ストレージデバイス１７２４を含むこともできる。ストレージデバイスの例（たとえば、ストレージデバイス１７２４）は、ハードディスクドライブ、磁気ディスクドライブ、光メディアと組み合わせた光ディスクドライブ、ソリッドステートメモリデバイス、及びそれらの任意の組合せを含むが、それらには限定されない。ストレージデバイス１７２４は、適切なインターフェース（図示せず）によってバス１７１２に接続されることが可能である。例示的なインターフェースは、ＳＣＳＩ、アドバンストテクノロジーアタッチメント（ＡＴＡ）、シリアルＡＴＡ、ユニバーサルシリアルバス（ＵＳＢ）、ＩＥＥＥ  １３９４（ＦＩＲＥＷＩＲＥ（登録商標））、及びそれらの任意の組合せを含むが、それらには限定されない。一例においては、ストレージデバイス１７２４（又はその１つ若しくは複数のコンポーネント）は、（たとえば、外部ポートコネクタ（図示せず）を介して）コンピュータシステム１７００と取り外し可能にインターフェース接続されることが可能である。特に、ストレージデバイス１７２４及び関連付けられているマシン可読メディア１７２８は、コンピュータシステム１７００のためのマシン可読命令、データ構造、プログラムモジュール、及び／又は他のデータの不揮発性及び／又は揮発性の格納を提供することができる。一例においては、ソフトウェア１７２０は、マシン可読メディア１７２８内に完全に、又は部分的に存在することが可能である。別の例においては、ソフトウェア１７２０は、プロセッサ１７０４内に完全に、又は部分的に存在することが可能である。
【００４９】
[0048]  コンピュータシステム１７００は、入力デバイス１７３２を含むこともできる。一例においては、コンピュータシステム１７００のユーザは、入力デバイス１７３２を介してコマンド及び／又は他の情報をコンピュータシステム１７００へと入力することができる。入力デバイス１７３２の例は、英数字入力デバイス（たとえば、キーボード）、ポインティングデバイス、ジョイスティック、ゲームパッド、音響入力デバイス（たとえば、マイクロフォン、音声応答システムなど）、カーソルコントロールデバイス（たとえば、マウス）、タッチパッド、光スキャナ、ビデオ取り込みデバイス（たとえば、スチルカメラ、ビデオカメラ）、タッチスクリーン、及びそれらの任意の組合せを含むが、それらには限定されない。入力デバイス１７３２は、シリアルインターフェース、パラレルインターフェース、ゲームポート、ＵＳＢインターフェース、ＦＩＲＥＷＩＲＥ（登録商標）インターフェース、バス１７１２へのダイレクトインターフェース、及びそれらの任意の組合せを含むがそれらには限定されないさまざまなインターフェース（図示せず）のいずれかを介してバス１７１２にインターフェース接続されることが可能である。入力デバイス１７３２は、以降でさらに論じられている、ディスプレイ１７３６の一部であること、又はディスプレイ１７３６とは別個であることが可能であるタッチスクリーンインターフェースを含むことができる。入力デバイス１７３２は、上述のようなグラフィカルインターフェースにおける１つ又は複数のグラフィカル表示を選択するためのユーザ選択デバイスとして利用されることが可能である。
【００５０】
[0049]  ユーザは、ストレージデバイス１７２４（たとえば、取り外し可能なディスクドライブ、フラッシュドライブなど）及び／又はネットワークインターフェースデバイス１７４０を介してコンピュータシステム１７００にコマンド及び／又は他の情報を入力することもできる。ネットワークインターフェースデバイス１７４０などのネットワークインターフェースデバイスは、ネットワーク１７４４などのさまざまなネットワークのうちの１つ又は複数、及びそこに接続されている１つ又は複数のリモートデバイス１７４８にコンピュータシステム１７００を接続するために利用されることが可能である。ネットワークインターフェースデバイスの例は、ネットワークインターフェースカード（たとえば、モバイルネットワークインターフェースカード、ＬＡＮカード）、モデム、及びそれらの任意の組合せを含むが、それらには限定されない。ネットワークの例は、ワイドエリアネットワーク（たとえば、インターネット、エンタープライズネットワーク）、ローカルエリアネットワーク（たとえば、オフィス、ビルディング、キャンパス、又は他の比較的小さな地理的スペースに関連付けられているネットワーク）、電話ネットワーク、電話／音声プロバイダに関連付けられているデータネットワーク（たとえば、モバイル通信プロバイダのデータ及び／又は音声ネットワーク）、２つのコンピューティングデバイスの間における直接接続、並びにそれらの任意の組合せを含むが、それらには限定されない。ネットワーク１７４４などのネットワークは、有線及び／又はワイヤレスモードの通信を採用することができる。一般には、任意のネットワークトポロジーを使用することができる。ネットワークインターフェースデバイス１７４０を介してコンピュータシステム１７００へ、及び／又はコンピュータシステム１７００から情報（たとえば、データ、ソフトウェア１７２０など）を通信することができる。
【００５１】
[0050]  コンピュータシステム１７００は、表示可能なイメージをディスプレイデバイス１７３６などのディスプレイデバイスへ通信するためのビデオディスプレイアダプタ１７５２をさらに含むことができる。ディスプレイデバイスの例は、液晶ディスプレイ（ＬＣＤ）、ブラウン管（ＣＲＴ）、プラズマディスプレイ、発光ダイオード（ＬＥＤ）ディスプレイ、及びそれらの任意の組合せを含むが、それらには限定されない。ディスプレイアダプタ１７５２及びディスプレイデバイス１７３６をプロセッサ１７０４と組み合わせて利用して、本開示の態様のグラフィカル表示を提供することができる。コンピュータシステム１７００は、ディスプレイデバイスに加えて、オーディオスピーカー、プリンタ、及びそれらの任意の組合せを含むがそれらには限定されない１つ又は複数の他の周辺出力デバイスを含むことができる。そのような周辺出力デバイスは、周辺インターフェース１７５６を介してバス１７１２に接続されることが可能である。周辺インターフェースの例は、シリアルポート、ＵＳＢ接続、ＦＩＲＥＷＩＲＥ（登録商標）接続、パラレル接続、及びそれらの任意の組合せを含むが、それらには限定されない。
【００５２】
[0051]  前述の内容は、本発明の例示的な実施形態の詳細な説明である。本発明の趣旨及び範囲から逸脱することなく、さまざまな修正及び追加を行うことができる。上述のさまざまな実施形態のうちのそれぞれの特徴を、必要に応じて他の説明されている実施形態の特徴と組み合わせて、関連付けられている新たな実施形態において多数の特徴の組合せを提供することができる。さらに、前述の内容は、複数の別々の実施形態について説明しているが、本明細書において説明されている内容は、本発明の原理の適用を例示しているにすぎない。加えて、本明細書における特定の方法は、特定の順序で実行されるものとして例示及び／又は説明されていることがあるが、その順序付けは、本開示のさまざまな態様を達成するための標準的な技術内で高度に変更可能である。したがって、この説明は、例としてのみ解釈されることを意図されており、他の形で本発明の範囲を限定することを意図されているものではない。
【００５３】
[0052]  例示的な実施形態が、上で開示されており、添付の図面において示されている。本発明の趣旨及び範囲から逸脱することなく、本明細書において具体的に開示されている内容に対してさまざまな変更、省略、及び追加を行うことができるということを当業者なら理解するであろう。本明細書において提供されている教示を考慮すれば、当技術分野における標準的な技術者なら理解するであろうが、「介護者」という用語は、本明細書及び添付の図面及び特許請求の範囲において使用される際には、たとえば、開業医、メンタルヘルススペシャリスト、パーソナルヘルススペシャリスト、アシスタント、ボランティア、家族、友達、同僚、並びに、別の人の良好さを気遣っている、もたらしている、及び／又は担当している可能性がある他の誰かを含むように広く解釈されるべきである。
【００５４】
[0053]  さらに、本明細書において提供されている教示を考慮すれば、当技術分野における標準的な技術者なら理解するであろうが、本開示／本明細書において説明されている、及び／又は添付の図において示されている特徴、要素、コンポーネントなどは、ハードウェア及びソフトウェアのさまざまな組合せで実施されること、並びに単一の要素又は複数の要素で組み合わせることができる機能を提供することが可能である。たとえば、図において示されている／例示されている／描かれているさまざまな特徴、要素、コンポーネントなどの機能は、専用のハードウェア、並びに、適切なソフトウェアと関連付けてソフトウェアを実行することができるハードウェアの使用を通じて提供されることが可能である。それらの機能は、プロセッサによって提供される場合には、単一の専用のプロセッサによって、単一の共有プロセッサによって、又は複数の個別のプロセッサ（そのうちのいくつかは、共有及び／又は多重化されることが可能である）によって提供されることが可能である。その上、「プロセッサ」又は「コントローラ」という用語の明示的な使用は、ソフトウェアを実行することができるハードウェアだけを指すと解釈されるべきではなく、デジタルシグナルプロセッサ（「ＤＳＰ」）ハードウェア、メモリ（たとえば、ソフトウェアを格納するための読み取り専用メモリ（「ＲＯＭ」）、ランダムアクセスメモリ（「ＲＡＭ」）、不揮発性ストレージなど）、並びに、プロセスを実行及び／又はコントロールすることができる（及び／又はそうするように構成可能である）事実上任意の手段及び／又はマシン（ハードウェア、ソフトウェア、ファームウェア、それらの組合せなどを含む）を黙示的に含むことができるが、それらには限定されない。
【００５５】
[0054]  その上、本開示の原理、態様、及び例示的な実施形態、並びにそれらの具体例について記述する本明細書におけるすべての言明は、それらの構造的な均等物及び機能的な均等物の両方を包含することを意図されている。加えて、そのような均等物は、現在知られている均等物、並びに今後開発される均等物（たとえば、構造を問わずに、同じ又は実質的に同様の機能を実行することができる開発される任意の要素）の両方を含むということが意図されている。したがって、たとえば、本明細書において提示されているいかなるブロック図も、本発明の原理を具体化する例示的なシステムコンポーネント及び／又は回路の概念的なビューを表すことができるということを、本明細書において提供されている教示を考慮すれば、当技術分野における標準的な技術者なら理解するであろう。同様に、あらゆるフローチャート、流れ図などは、コンピュータ可読ストレージメディアにおいて実質的に表されることが可能な、したがってコンピュータ、プロセッサ、又は、処理能力を有する他のデバイスによって実行されることが可能な（そのようなコンピュータ又はプロセッサが明示的に示されているか否かにかかわらず）さまざまなプロセスを表すことができるということを、本明細書において提供されている教示を考慮すれば、当技術分野における標準的な技術者なら理解するはずである。「Ｘ又はＹの少なくとも１つ」というフレーズは、本明細書及び添付の特許請求の範囲において使用される際には、「Ｘ及び／又はＹ」と解釈されることを意図されている。
【００５６】
[0055]  さらに、本発明のいくつかの例示的な実施形態は、たとえば、コンピュータ若しくは任意の命令実行システムによって、又はコンピュータ若しくは任意の命令実行システムに関連して使用するためのプログラムコード及び／又は命令を提供するコンピュータ使用可能及び／又はコンピュータ可読ストレージメディアからアクセス可能なコンピュータプログラム製品の形態を取ることができる。本開示によれば、コンピュータ使用可能又はコンピュータ可読ストレージメディアは、命令実行システム、装置、若しくはデバイスによって、又は命令実行システム、装置、若しくはデバイスに関連して使用するためのプログラムを、たとえば、含むこと、格納すること、通信すること、伝搬すること、又は移送することが可能な任意の装置であることが可能である。そのような例示的なメディアは、たとえば、電子的、磁気的、光学的、電磁気的、赤外線、又は半導体システム（又は装置又はデバイス）、又は伝搬メディアであることが可能である。コンピュータ可読メディアの例は、たとえば、半導体又はソリッドステートメモリ、磁気テープ、取り外し可能なコンピュータディスケット、ランダムアクセスメモリ（ＲＡＭ）、読み取り専用メモリ（ＲＯＭ）、フラッシュ（ドライブ）、剛性磁気ディスク、及び光ディスクを含む。光ディスクの現時点での例は、コンパクトディスク−読み取り専用メモリ（ＣＤ−ＲＯＭ）、コンパクトディスク−読み取り／書き込み（ＣＤ−Ｒ／Ｗ）、及びＤＶＤを含む。さらに、今後開発される可能性がある新たなコンピュータ可読メディアはいずれも、本発明及び本開示の例示的な実施形態に従って使用又は言及されることが可能である場合には、コンピュータ可読メディアとみなされるべきであるということを理解されたい。
【００５７】
[0056]  良好さのメトリックとしての話声パターンの機能を有するウェアラブルデバイス、及び関連したシステム及び方法の好ましい例示的な実施形態（それらの実施形態は、限定的ではなく例示的であることを意図されている）について説明してきたが、添付の図及び特許請求の範囲を含めて、本明細書において提供されている教示を考慮すれば、当技術分野における標準的な技術者なら修正形態及び変形形態を作成することができるということがわかる。したがって、本明細書において開示及び説明されている本発明及び例示的な実施形態の範囲内にある、本開示の好ましい例示的な実施形態における／に対する変更を行うことができるということを理解されたい。
【００５８】
[0057]  その上、本開示によるデバイスにおいて使用／実施されることが可能であるデバイスなどを組み込んでいる及び／又は実施している対応する及び／又は関連したシステムも本発明の範囲内にあると考えられ、またそうみなされるということが考えられる。さらに、本開示によるデバイス及び／又はシステムを製造及び／又は使用するための対応する及び／又は関連した方法も本発明の範囲内にあると考えられ、またそうみなされる。
【図１】
2018515155.tif 000003
【図２】
2018515155.tif 000004
【図３】
2018515155.tif 000005
【図４】
2018515155.tif 000006
【図５Ａ】
2018515155.tif 000007
【図５Ｂ】
2018515155.tif 000008
【図５Ｃ】
2018515155.tif 000009
【図６Ａ】
2018515155.tif 000010
【図６Ｂ】
2018515155.tif 000011
【図７Ａ】
2018515155.tif 000012
【図７Ｂ】
2018515155.tif 000013
【図８】
2018515155.tif 000014
【図９】
2018515155.tif 000015
【図１０】
2018515155.tif 000016
【図１１】
2018515155.tif 000017
【図１２】
2018515155.tif 000018
【図１３】
2018515155.tif 000019
【図１４】
2018515155.tif 000020
【図１５】
2018515155.tif 000021
【図１６】
2018515155.tif 000022
【図１７】
2018515155.tif 000023
【国際調査報告】
2018515155.tif 000024
2018515155.tif 000025
2018515155.tif 000026